(57)【特許請求の範囲】
【請求項１】
番組ごとの放映情報をインデックス化して記憶している番組名データベースと、
前記番組名データベースを参照することにより、入力されたクエリに基づいて放送された番組の番組名を特定する特定手段と、
前記特定手段により特定された前記番組名に関連する複数の情報要素を前記入力されたクエリの入力時刻情報に基づいて前記番組名データベースから検索する検索手段と、
前記検索手段によって検索された前記複数の情報要素を前記番組名と所定の順番で関連付ける関連付け手段と、
前記検索手段により検索された前記番組に関連する前記複数の情報要素を前記関連付け手段によって関連付けられた所定の順番で番組全体ページとして所定の領域に表示する情報要素表示手段と、
前記情報要素表示手段により表示されている前記番組全体ページの中から一の情報要素が選択された場合に、当該一の情報要素の詳細情報を番組詳細ページとして所定の領域に表示する詳細ページ表示手段と、
番組の放送時間の終了から一定時間経過した場合には、該番組のインデックスを前記番組名データベースから削除する削除手段と、を備え、
前記番組詳細ページの中には、前記番組全体ページに遷移するためのリンクが張られており、
前記情報要素表示手段は、前記特定手段によって特定された番組名が複数ある場合には、前記検索されたその複数の番組全ての情報要素を前記関連付け手段によって関連付けされた順番で表示する
ことを特徴とする検索サーバ。
【請求項２】
前記情報要素表示手段は、前記特定手段によって特定される前記番組名が複数ある場合には、視聴率が高い番組に関する前記情報要素を優先的に上位となる領域に表示することを特徴とする請求項１記載の検索サーバ。
【請求項３】
前記検索手段は、前記情報要素に関する時刻情報が記録されたＥＰＧ（Ｅｌｅｃｔｒｏｎｉｃ  Ｐｒｏｇｒａｍ  Ｇｕｉｄｅ）を参照することにより前記クエリの前記入力時刻情報との時間間隔が最も短い同一カテゴリ中の前記情報要素を検索することを特徴とする請求項１又は２記載の検索サーバ。
【請求項４】
前記関連付け手段は、前記検索手段によって検索された前記情報要素の中から前記番組中において放送された時間が長い前記情報要素を優先的に上位の順番に関連付けることを特徴とする請求項１乃至３の何れかに記載の検索サーバ。
【請求項５】
前記関連付け手段は、前記検索手段によって検索された前記情報要素の中から前記番組中における視聴率の高い部分に関する前記情報要素を優先的に上位の順番に関連付けることを特徴とする請求項１乃至３の何れかに記載の検索サーバ。
【請求項６】
前記詳細ページ表示手段は、選択された前記情報要素に関連する詳細情報要素を前記番組詳細ページに表示し、前記詳細情報要素を前記クエリの前記入力時刻情報との時間間隔が短い最新の詳細情報要素から優先的に表示することを特徴とする請求項１乃至５の何れかに記載の検索サーバ。
【請求項７】
番組ごとの放映情報をインデックス化して記憶している番組名データベースを備えた検索サーバによって実施される検索方法であって、
前記番組名データベースを参照することにより、入力されたクエリに基づいて放送された番組の番組名を特定する特定工程と、
前記特定工程により特定された前記番組名に関連する複数の情報要素を前記入力されたクエリの入力時刻情報に基づいて前記番組名データベースから検索する検索工程と、
前記検索工程によって検索された前記複数の情報要素を前記番組名と所定の順番で関連付ける関連付け工程と、
前記検索工程により検索された前記番組に関連する前記複数の情報要素を前記関連付け工程によって関連付けられた所定の順番で番組全体ページとして所定の領域に表示する情報要素表示工程と、
前記情報要素表示工程により表示されている前記番組全体ページの中から一の情報要素が選択された場合に、当該一の情報要素の詳細情報を番組詳細ページとして所定の領域に表示する詳細ページ表示工程と、
番組の放送時間の終了から一定時間経過した場合には、該番組のインデックスを前記番組名データベースから削除する削除工程と、を備え、
前記番組詳細ページの中には、前記番組全体ページに遷移するためのリンクが張られており、
前記情報要素表示工程は、前記特定工程によって特定された番組名が複数ある場合には、前記検索されたその複数の番組全ての情報要素を前記関連付け工程によって関連付けされた順番で表示する
ことを特徴とする検索方法。
【請求項８】
請求項７記載の方法を検索サーバに実行させることを特徴とするプログラム。
【発明の詳細な説明】
【技術分野】
【０００１】
本発明は、ユーザにより入力されたクエリに基づいて、ユーザが所望する情報を提供する検索サーバ、検索方法及びプログラムに関する。
【背景技術】
【０００２】
近年においては、インターネット上に無数のウェブページが存在しており、目的とするウェブページを検索することは容易ではない。そのため、目的とするウェブページの検索を補助するために検索エンジンが提供されている。
【０００３】
ユーザは、このような検索エンジンを利用して、様々なキーワードを組み合わせて入力し、目的とするウェブページを検索している。
【０００４】
例えば、ユーザは、以前に視聴したテレビ番組の中で紹介された情報について、より詳細に知りたいとき等に検索エンジンを利用して所望する情報の検索を行う（例えば、引用文献１を参照。）。
【０００５】
ここで、ユーザが適式なキーワード（例えば、番組の名称及びお店の名称等）を入力することができる場合には、検索エンジンを利用することによって目的とする情報を簡易に取得することができるが、このような適式なキーワードを入力することができない場合には、目的とする情報にたどり着くまでに、検索エンジンに入力するキーワードの組み合わせを工夫したり、複数のウェブページを経由する等の多大な労力を払う必要があり、また時間もかかってしまう。また、ユーザが所望するウェブページが存在するのにもかかわらず、このような検索のための労力や時間が原因となって、所望するウェブページへのアクセスをユーザが諦めてしまうこともある。
【特許文献１】特開平１１−２５００８６号公報
【発明の開示】
【発明が解決しようとする課題】
【０００６】
本発明は、放送された番組に関する情報について、適式なキーワードによる検索が行われなかった場合においても、ユーザの所望する情報を提供することができる検索サーバ、検索方法及びプログラムを提供することを目的とする。
【課題を解決するための手段】
【０００７】
（１）入力されたクエリに基づいて放送された番組の番組名を特定する特定手段と、
前記特定手段により特定された前記番組名に関連する複数の情報要素を前記入力されたクエリの入力時刻情報に基づいて抽出する抽出手段と、
前記抽出手段によって抽出された前記複数の情報要素を前記番組名と所定の順番で関連付ける関連付け手段と、
前記抽出手段により抽出された前記番組に関連する前記複数の情報要素を前記関連付け手段によって関連付けられた所定の順番で番組全体ページとして所定の領域に表示する情報要素表示手段と、
前記情報要素表示手段により表示されている前記番組全体ページの中から一の情報要素が選択された場合に、当該一の情報要素の詳細情報を番組詳細ページとして所定の領域に表示する詳細ページ表示手段と、を備え、
前記番組詳細ページの中には、前記番組全体ページに遷移するためのリンクが張られていることを特徴とする検索サーバ。
【０００８】
（１）に係る発明によれば、上述のような構成を有することにより、ユーザが入力したクエリに基づいて、放送された番組の番組名を特定できたときには、番組に関する複数の情報要素（例えば、番組に出演した出演者情報、番組で紹介されたグルメ情報等）を抽出し、番組名と情報要素を所定の順番で関連付けて番組全体ページを表示し、また、番組全体ページの中の一の情報要素が選択された場合に、当該一の情報要素を番組詳細ページとして表示し、当該番組詳細ページには、番組全体ページに遷移するためのリンクが張られている。
【０００９】
このようにして、（１）に係る発明によれば、各番組詳細ページには、番組全体の情報要素を表示する番組全体ページとのリンクが常に表示されるので、番組詳細ページと各番組詳細ページとの間において、簡易な操作によって、すなわち、検索ウィンドウにユーザが他のクエリを入力することなく、ワンクリックで相互に遷移することができ、ユーザが所望する情報を迅速にかつ簡易に提供することが可能となる。
【００１０】
また、ユーザが任意に入力したクエリによって、一の番組詳細ページにアクセスした場合に、当該番組詳細ページには番組全体ページへのリンクが張ってあるので、ユーザは、簡易な操作によって当該番組全体ページへ遷移することができ、当初予定していなかった番組に関する情報を広範に取得することが可能となる。
【００１１】
（２）前記情報要素表示手段は、前記特定手段によって特定される前記番組名が複数ある場合には、前記情報要素表示手段は視聴率が高い番組に関する前記情報要素を優先的に上位となる領域に表示することを特徴とする（１）記載の検索サーバ。
【００１２】
（２）に係る発明によれば、ユーザのクエリにより特定された番組名が複数ある場合には視聴率の高い番組名及び番組に関する情報要素が優先的に上位となる（一例として画面の上部に表示される）ので、ユーザが所望する情報を迅速かつ簡易に提供することが可能になる。
【００１３】
また、情報要素を番組毎ではなく、ユーザのクエリにより特定された全ての番組名に関する情報要素を視聴率が高い順に表示するので、ユーザが所望する情報を迅速かつ簡易に提供することが可能になる。
【００１４】
（３）前記抽出手段は、前記情報要素に関する時刻情報が記録されたＥＰＧ（Ｅｌｅｃｔｒｏｎｉｃ  Ｐｒｏｇｒａｍ  Ｇｕｉｄｅ）を参照することにより前記クエリの前記入力時刻情報との時間間隔が最も短い同一カテゴリ中の前記情報要素を抽出することを特徴とする（１）又は（２）記載の検索サーバ。
【００１５】
（３）に係る発明によれば、同一カテゴリーの情報要素が複数個有った場合に、それらを全て抽出する（表示する）ことなく、複数個の情報要素からクエリの入力時刻との時間間隔が最も短い最新の情報要素を抽出するので、ユーザが所望する情報を的確に把握できる可能性が高くなり、ユーザが所望する情報を迅速かつ簡易に提供することが可能になる。
【００１６】
（４）前記関連付け手段は、前記抽出手段によって抽出された前記情報要素の中から前記番組中において放送された時間が長い前記情報要素を優先的に上位の順番に関連付けることを特徴とする（１）乃至（３）の何れかに記載の検索サーバ。
【００１７】
（４）に係る発明によれば、複数の情報要素から放送時間が長い情報要素を優先的に上位の順番に番組名と関連付けするので、優先的に上位となる情報要素はユーザが所望する情報である確率が高くなり、ユーザが所望する情報を迅速かつ簡易に提供することが可能になる。
【００１８】
（５）前記関連付け手段は、前記抽出手段によって抽出された前記情報要素の中から前記番組中における視聴率の高い部分に関する前記情報要素を優先的に上位の順番に関連付けることを特徴とする（１）乃至（３）の何れかに記載の検索サーバ。
【００１９】
（５）に係る発明によれば、複数の情報要素から視聴率が高い情報要素を優先的に上位の順番に番組名と関連付けするので、優先的に上位となる情報要素はユーザが所望する情報である確率が高くなり、ユーザが所望する情報を迅速かつ簡易に提供することが可能になる。
【００２０】
（６）前記詳細ページ表示手段は、選択された前記情報要素に関連する詳細情報要素を前記番組詳細ページに表示し、前記詳細情報要素を前記クエリの前記入力時刻情報との時間間隔が短い最新の詳細情報要素から優先的に表示することを特徴とする（１）乃至（５）の何れかに記載の検索サーバ。
【００２１】
（６）に係る発明によれば、クエリの入力時刻との時間間隔が最も短い最新の情報要素に関連した詳細情報要素を優先的に表示（ユーザが見やすい領域に表示）するので、ユーザが所望する情報を的確に把握できる可能性が高くなり、ユーザが所望する情報を迅速かつ簡易に提供することが可能になる。
【００２２】
（７）入力されたクエリに基づいて放送された番組の番組名を特定する特定工程と、
前記特定工程により特定された前記番組名に関連する複数の情報要素を前記入力されたクエリの入力時刻情報に基づいて抽出する抽出工程と、
前記抽出工程によって抽出された前記複数の情報要素を前記番組名と所定の順番で関連付ける関連付け工程と、
前記抽出工程により抽出された前記番組に関連する前記複数の情報要素を前記関連付け手段によって関連付けられた所定の順番で番組全体ページとして所定の領域に表示する情報要素表示工程と、
前記情報要素表示工程により表示されている前記番組全体ページの中から一の情報要素が選択された場合に、当該一の情報要素の詳細情報を番組詳細ページとして所定の領域に表示する詳細ページ表示工程と、を備え、
前記番組詳細ページの中には、前記番組全体ページに遷移するためのリンクが張られていることを特徴とする検索方法。
【００２３】
（７）に係る発明によれば、上述のような構成を有することにより、ユーザが入力したクエリに基づいて、放送された番組の番組名を特定できたときには、番組に関する複数の情報要素（例えば、番組に出演した出演者情報、番組で紹介されたグルメ情報等）を抽出し、番組名と情報要素を所定の順番で関連付けて番組全体ページを表示し、また、番組全体ページの中の一の情報要素が選択された場合に、当該一の情報要素を番組詳細ページとして表示し、当該番組詳細ページには、番組全体ページに遷移するためのリンクが張られている。
【００２４】
このようにして、（７）に係る発明によれば、各番組詳細ページには、番組全体の情報要素を表示する番組全体ページとのリンクが常に表示されるので、番組詳細ページと各番組詳細ページとの間において、簡易な操作によって、すなわち、検索ウィンドウにユーザが他のクエリを入力することなく、ワンクリックで相互に遷移することができ、ユーザが所望する情報を迅速にかつ簡易に提供することが可能となる。
【００２５】
また、ユーザが任意に入力したクエリによって、一の番組詳細ページにアクセスした場合に、当該番組詳細ページには番組全体ページへのリンクが張ってあるので、ユーザは、簡易な操作によって当該番組全体ページへ遷移することができ、当初予定していなかった番組に関する情報を広範に取得することが可能となる。
【００２６】
（８）（７）記載の方法をコンピュータに実行させることを特徴とするプログラム。
このような構成によれば、当該プログラムをコンピュータに実行させることにより、（７）と同様の効果が期待できる。
【発明の効果】
【００２７】
本発明によれば、適式なキーワードによる検索が行われなかった場合においても、ユーザの所望する情報を迅速かつ簡易に提供することができる。
【発明を実施するための最良の形態】
【００２８】
以下、本発明の実施形態について図１を参照しながら説明する。
【００２９】
［システム全体構成］
図１には、本実施形態に係るサーバ１０と、放送局２０と、ユーザ端末３０とから構成される情報処理システム１を示す。なお、図１においては、情報処理システム１は、サーバ１０と、放送局２０と、ユーザ端末３０とがそれぞれ一つずつで示されているが、これに限られず、それぞれ複数台で構成されていてもよい。
【００３０】
サーバ１０は、図２に示すように、制御部３００を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されてもよい）、バスライン２００、通信Ｉ／Ｆ（Ｉ／Ｆ：インタフェース）３３０、メインメモリ３４０、ＢＩＯＳ（Ｂａｓｉｃ  Ｉｎｐｕｔ  Ｏｕｔｐｕｔ  Ｓｙｓｔｅｍ）３５０、Ｉ／Ｏコントローラ３６０、ハードディスク３７０、光ディスクドライブ３８０及び半導体メモリ３９０を備える。なお、ハードディスク３７０、光ディスクドライブ３８０及び半導体メモリ３９０はまとめて記憶装置４１０と呼ばれる。
【００３１】
制御部３００は、サーバ１０を統括的に制御する部分であり、ハードディスク３７０に記憶された各種プログラムを適宜読み出して実行することにより、上述したハードウェアと協働し、本発明に係る各種機能を実現している。
【００３２】
通信Ｉ／Ｆ３３０は、サーバ１０が、ネットワークを介してユーザ端末３０等の他の装置と情報を送受信する場合のネットワーク・アダプタである。
【００３３】
ＢＩＯＳ３５０は、サーバ１０の起動時にＣＰＵ３１０が実行するブートプログラムや、サーバ１０のハードウェアに依存するプログラム等を記録する。
【００３４】
Ｉ／Ｏコントローラ３６０には、ハードディスク３７０、光ディスクドライブ３８０及び半導体メモリ３９０等の記憶装置４１０を接続することができる。
【００３５】
ハードディスク３７０は、本ハードウェアをサーバ１０として機能させるための各種プログラム、本発明の機能を実行するプログラム及び後述するテーブル等を記憶する。なお、サーバ１０は、外部に別途設けたハードディスク（図示せず）を外部記憶装置として利用することもできる。
【００３６】
光ディスクドライブ３８０としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク４００を使用する。光ディスク４００から光ディスクドライブ３８０によりプログラム又はデータを読み取り、Ｉ／Ｏコントローラ３６０を介してメインメモリ３４０又はハードディスク３７０に提供することもできる。
【００３７】
なお、本発明でいうコンピュータとは、記憶装置、制御部等を備えた情報処理装置をいい、サーバ１０は、記憶装置４１０、制御部３００等を備えた情報処理装置により構成され、この情報処理装置は、本発明のコンピュータの概念に含まれる。
【００３８】
また、本発明に係るサーバ１０は、上述のような構成を有することにより、放送局２０により放送された番組に関して、ユーザが入力したクエリに基づいて、放送された番組の番組名を特定し、番組に関する複数の情報要素（例えば、番組に出演した出演者情報、番組で紹介されたグルメ情報等）を抽出し、抽出した複数の情報要素を所定の順番で関連付け（例えば、瞬間視聴率の高い順に関連付け）、番組全体の情報要素を表示する番組全体ページへ遷移するためのリンクを、ユーザが選択した情報要素の詳細を表示する各番組詳細ページに張る（例えばリンクした情報を表示する）機能を有している。
【００３９】
ここで、当該機能を発揮するための構成について、図３に示す機能ブロック図を用いて説明する。サーバ１０は、特定手段である特定部１１と、抽出手段である抽出部１２と、関連付け手段である関連付け部１３と、情報要素表示手段である情報要素表示部１４と、詳細ページ表示手段である詳細ページ表示部１５と、記憶部１６と、を備える。
【００４０】
特定部１１は、ユーザがユーザ端末３０に入力したクエリに基づいて番組名を特定する機能を有する。ここで、ユーザは、放送局２０により放送された番組を視聴し、その番組の中で紹介されていた情報をより詳細に得るために、ユーザ端末３０を操作して、任意のクエリをサーバ１０に送信する。特定部１１は、ユーザ端末３０により送信されたクエリを受信し、番組名ＤＢ４０を参照して、番組名を特定する。
【００４１】
また、特定部１１によって特定される番組名は一つに限られない。これはユーザが入力するクエリからユーザが視聴している番組名を正確に特定することが困難な場合もあり、この場合に一つの番組を特定するとユーザが所望する以下に詳述する情報要素又は詳細情報要素を容易に検索できなくなることもあるからである。すなわち、ユーザの利便性を考慮して複数の番組名を特定することが好適な場合もあるからである。
【００４２】
ここで、番組名ＤＢ４０について説明する。サーバ１０は、予め、番組ごとの詳細な放映情報（番組名や、放映時間や、出演者等に関する番組全体の情報）を有しており、当該放映情報に基づいて、特定部１１により番組名が特定できるような番組情報インデックスを生成し、当該番組情報インデックスを番組名ＤＢ４０に登録しておく。特定部１１は、番組名ＤＢ４０に登録されている番組情報インデックスを参照することにより、クエリに含まれる語句に基づいて番組名を特定する。また、番組情報インデックスとしては、例えば、番組名のみからなるインデックスや、番組名とカテゴリ名（出演者や、グルメ等のカテゴリ名）の組み合わせからなるインデックスや、個々のアイテム（具体的な出演者名や、具体的な店舗の名称等）からなるインデックスが考えられる。
【００４３】
また、サーバ１０は、放送時間の終了から一定時間（例えば、３時間）経過した場合には、その番組に関する番組情報インデックスを削除する機能を有していてもよい。このような構成によれば、番組の放送時間が終了してから一定時間が経過した後は、検索結果として番組に関連する複数の情報要素からなる番組全体ページ（入力補助）が表示されないため、番組に関する情報を欲しないユーザに対して当該番組全体ページを表示しないようにできる。また、一定時間経過後においては、番組全体ページを生成するための処理を省くことができ、処理負担の軽減を図ることができる。
【００４４】
また、特定部１１は、番組の放送時間が終了してから一定時間が経過した後は、当該番組については、情報要素が含まれていないと判断し、番組名ＤＢ４０にアクセスしないように構成してもよい。このような構成によれば、番組の放送時間が終了してから一定時間が経過した後は、特定部１１による判断がなされないため、検索結果としては、クエリに基づく通常の検索結果を表示するだけであって、番組に関連する複数の情報要素からなる番組全体ページ（入力補助）が表示されないため、番組に関する情報を欲しないユーザに対して当該番組全体ページを表示しないようにできる。また、一定時間経過後においては、番組全体ページを生成するための処理を省くことができ、処理負担の軽減を図ることができる。
【００４５】
抽出部１２は、詳細は後述する記憶部１６を参照して、特定部１１により特定された番組名に関連する情報要素を、ユーザがユーザ端末３０に入力したクエリの入力時刻情報に基づいて抽出（検索）する機能を有する。
【００４６】
ここで、情報要素とは、番組に付属する情報であって、一例として、番組に出演した出演者情報、番組で紹介されたグルメ・飲食店情報（フレンチ料理、イタリアン料理若しくは中国料理等の料理の種類、鮮魚情報、野菜情報、果物情報、デザート情報、スイーツ情報等の食事の素材情報、又はそれらの情報を取り扱う店舗情報及び飲食店情報）、番組で紹介されたアイテム・商品情報（文房具情報、衣料品情報、健康関連商品情報等）、番組で紹介されたお店・施設・スポット情報（お出かけスポット情報、遊園地情報、公園情報等の観光地情報、展覧会情報、公演情報、花見情報及びそれらのスポットの人出混雑情報、経路交通混雑情報、お天気情報）等の番組に関連する各種情報を含む。
【００４７】
また、これらの情報要素は、刻々更新される情報である場合があるので、ユーザが現在知りたい情報を提供するために、ユーザがユーザ端末３０に入力したクエリの入力時刻に最も近い（入力時刻に対して直近の）関連情報を抽出する。また、本願は、ユーザ又はサービス提供者の設定により、クエリの入力時刻から任意の時間に更新又は登録された関連情報を抽出することができる（一例として、クエリの入力時刻から一年以内に登録又は更新された関連情報の全部又は一部、あるいはクエリの入力時刻から１０年以上前に登録又は更新された関連情報の全部又は一部等のように設定されることも可能である。）。
【００４８】
なお、抽出部１２は、情報要素に関する時刻情報を予め取得したＥＰＧ（Ｅｌｅｃｔｒｏｎｉｃ  Ｐｒｏｇｒａｍ  Ｇｕｉｄｅ）情報又は外部にある他のサーバ装置等の装置に記憶されたＥＰＧ情報から抽出する。サーバ１０はＥＰＧ情報を記憶部１６に記憶することができる。また、抽出部１２は、ＥＰＧに限られず、上述した番組ごとの詳細な放映情報（番組名や、放映時間や、出演者等に関する番組全体の情報）に基づいて、情報要素に関する時刻情報を抽出してもよい。
【００４９】
関連付け部１３は、抽出部１２により抽出された情報要素を、番組名と所定の順番で関連付けをする機能を有する。
【００５０】
ここで、所定の順番で関連付けをすることには、抽出部１２により抽出された情報要素を番組中で放送された時間に基づいて関連付けをすることを含む。
【００５１】
例えば、番組中で放送された時間が長い情報要素を優先的に上位の順番に関連付けをする。一例として、情報要素としての出演者情報に係わる出演者達が番組中で出演し、グルメ情報が番組中のグルメコーナーで紹介された場合に、出演者達に関する放送時間がグルメコーナーの放送時間より長い場合には、出演者情報がグルメ情報より優先的に上位の順番に関連付けをする。
【００５２】
また、情報要素としてのグルメ情報が番組中のグルメコーナーで紹介され、情報要素としてのアイテム情報がアイテムコーナーで紹介された場合に、グルメコーナーの放送時間がアイテムコーナーの放送時間より長い場合には、グルメ情報がアイテム情報より優先的に上位の順番に関連付けをする。
【００５３】
このように優先的に関連付けられた関連情報は、出演者情報、グルメ情報及びアイテム情報の順番になる。そして、このようにして関連付けされた関連付け情報は後述する記憶部１６に記憶される。
【００５４】
また、所定の順番で関連付けをすることには、抽出部１２により抽出された情報要素を番組中で視聴率の高い部分に関する情報要素に基づいて関連付けをすることを含む。
【００５５】
例えば、番組中で放送された情報要素を視聴率が高い順に順番に関連付けをする。視聴率は一つの情報要素の放送中において一般的に変動することが知られているが、一つのカテゴリの情報要素の放送中における瞬間最高視聴率をその情報要素を代表する視聴率としてもよく、一つのカテゴリの情報要素の放送中における平均視聴率をその情報要素を代表する視聴率としてもよい。
【００５６】
一例として、情報要素としての出演者情報に係わる出演者達が番組中で出演し、グルメ情報が番組中のグルメコーナーで紹介された場合に、出演者達に関する放送時間中の瞬間最高視聴率がグルメコーナーにおける瞬間最高視聴率よりも高い場合には、出演者情報がグルメ情報より優先的に上位の順番に関連付けをする。
【００５７】
また、情報要素としてのグルメ情報が番組中のグルメコーナーで紹介され、情報要素としてのアイテム情報がアイテムコーナーで紹介された場合に、グルメコーナーの瞬間最高視聴率がアイテムコーナーの瞬間最高視聴率より高い場合には、グルメ情報がアイテム情報より優先的に上位の順番に関連付けをする。
【００５８】
このように優先的に関連付けられた関連情報は、出演者情報、グルメ情報及びアイテム情報の順番になる。そして、このようにして関連付けされた関連付け情報は後述する記憶部１６に記憶される。
【００５９】
情報要素表示部１４は、関連付け部１３により関連付けられた情報要素を所定の順番で番組全体ページとして所定の領域に表示する機能を有する。ここで情報要素表示部１４により表示される情報要素には番組名を含めることもできる。
【００６０】
情報要素表示部１４は、関連情報を標準的なテキストで表示する他に、テキストの色、フォント、囲い込み線又はボールドを用いて修飾し、テキストをシンボル化し、テキストを絵文字化すること、テキストを図案化すること、及び関連情報に関連する図情報や写真情報を代表させて表示することも含む。
【００６１】
また、番組全体ページとは、番組全体の情報要素が検索補助として関連付けられている総括的なページのことである。また、所定の領域とは、検索結果を表示するページの中の所定の領域のことであり、特にユーザが視認しやすい領域や注目しやすい領域（例えば、図６（詳細は後述する）に示すような最上段の領域）を意味している。さらに、特定領域を表示装置のその他の領域に比較して高輝度又は低輝度にし、特定の色にし、又は囲い込み線等を用いて表示する機能を情報要素表示部１４は有する。
【００６２】
また、関連付け部１３により関連付けられた情報要素を所定の順番で表示することには、関連付け部１３により関連付けられた優先順位に基づいて、表示装置（図示せず）の上部から順番に表示する他に、表示装置の任意の一辺に近い順番に表示することも含む。例えば、表示装置の左辺から優先順位に基づいて情報要素を表示することである。
【００６３】
また、優先順位に基づいて、表示された情報要素の輝度を輝度の高いものから輝度の低いものにし、表示された情報要素のボールドを段階的に変化させ、表示された情報要素の表示領域を大きいものから小さいものに段階的に変化させ、表示された情報要素の色相を変化させて表示する機能も情報要素表示部１４は有する。
【００６４】
詳細ページ表示部１５は、番組全体ページに表示された情報要素がユーザ端末３０により選択された場合に、又は番組全体ページにリンクしたウェブサイトの下位（最上位ではないことを意味する）に位置するページの情報要素がユーザ端末３０により選択された場合に、選択された情報要素の詳細を示す番組詳細ページをユーザ端末３０に表示させる機能を有している。
【００６５】
また、詳細ページ表示部１５は、番組詳細ページ中に選択された情報要素の詳細を示す詳細情報要素を表示する機能を有している。
【００６６】
また、詳細ページ表示部１５は、番組詳細ページ中に番組全体ページに遷移するためのリンクを張る（表示する）機能を有している。
【００６７】
番組詳細ページ中の番組全体ページに遷移するためのリンク及び詳細情報要素は、標準的なテキストで表示される他に、テキストの色、フォント、囲い込み線又はボールドを用いて修飾され、テキストをシンボル化し、テキストを絵文字化し、テキストを図案化すること及び関連情報に関連する図情報や写真情報を代表させて表示することも含む。番組全体ページに遷移するためのリンクがテキストで表示される場合には、番組全体ページへ遷移するためのＵＲＬ（Ｕｎｉｆｏｒｍ  Ｒｅｓｏｕｒｃｅ  Ｌｏｃａｔｏｒ）を表示してもよい。
【００６８】
また詳細ページ表示部１５は、選択された情報要素の詳細を示す番組詳細ページに表示される詳細情報要素（詳細情報要素とは、情報要素（例えば、「出演者」等のカテゴリ）の下位の概念の情報（例えば、出演者の具体的な名称）を意味する。）を、ユーザがユーザ端末３０に入力したクエリの入力時刻情報に基づいて表示する機能を有する。
【００６９】
情報要素に関連する詳細情報要素は、抽出部１２が番組に関する情報要素を抽出した段階で情報要素に関連して抽出部１２によって抽出される。
【００７０】
情報要素と同様に、情報要素に関連する詳細情報要素は、刻々更新される情報である場合があるので、ユーザが現在知りたい情報を提供するために、ユーザがユーザ端末３０に入力したクエリの入力時刻に最も近い（入力時刻に対して直近の）情報要素に関連する詳細情報要素を抽出する。
【００７１】
抽出部１２は、詳細情報要素に関する時刻情報を予め取得したＥＰＧ情報又は外部にある他のサーバ装置等の装置に記憶されたＥＰＧ情報から抽出する。サーバ１０はＥＰＧ情報を記憶部１６に記憶することができる。
【００７２】
さらに、詳細情報要素は、情報要素と同様に番組中で放送された時間に基づいて又は番組中で視聴率の高い部分に関する詳細情報要素に基づいて表示されてもよい。
【００７３】
例えば、番組中で放送された時間が長い詳細情報要素を優先的に表示し、また番組中での視聴率の高い部分に関する詳細情報要素に基づいて表示するようにしてもよい。
【００７４】
視聴率は一つの詳細情報要素の放送中において一般的には変動するが、詳細情報要素の放送中における瞬間最高視聴率をその詳細情報要素を代表する視聴率としてもよく、詳細情報要素の放送中における平均視聴率をその詳細情報要素を代表する視聴率としてもよい。
【００７５】
詳細ページ表示部１５の詳細情報要素の表示方法には、情報要素表示部１４が情報要素を表示する場合と同様の表示方法がある。
【００７６】
記憶部１６は、特定部１１により特定された番組名と、抽出部１２により抽出された情報要素とを関連付けて記憶する。また、関連付け部１３によって関連付けられた情報要素を、特定部１１により特定された番組名と関連付けて記憶する。さらに、番組詳細ページに表示されるべき詳細情報要素及び番組全体ページに関連したリンク情報を記憶する。
【００７７】
このような構成によれば、番組詳細ページにおいて関連情報を表示する番組全体ページとのリンクを常に表示（番組全体ページとのリンクを常に張る）するので、ユーザが関心を持ち特定した番組において、ユーザが所望する情報をその特定した番組内で探す場合には、番組詳細ページから番組全体ページに容易に（例えばワンクリックで）移動することができ、ユーザが所望する情報を迅速にかつ簡易に提供することが可能となる。
【００７８】
また、ユーザが番組全体ページを見て、後に見たいと関心を持った情報が有った場合にも、現在見ている番組詳細ページから番組全体ページに容易に（例えばワンクリックで）移動することができるのでユーザが所望する情報を迅速かつ簡易に提供することが可能になる。
【００７９】
［処理手順］
ここで、本発明を適用した場合において実現され得る具体的な処理手順について、図４に示すフローチャートを参照して説明する。なお、以下に示す処理手順は、一例であってこれ以外にも実現され得る処理手順は無数に存在する。
【００８０】
なお、本発明に係るサーバ１０は、予め、単一の又は複数の放送局において放送された番組（ジャンルを問わず全ての番組を対象にしてもよいし、特定のジャンル（バラエティ等）の番組のみを対象にしてもよい。）の中において紹介された情報（例えば、会話による話し言葉）に基づいてユーザが入力したクエリに基づいて動作する。
【００８１】
ユーザが、あるテレビ番組を視聴していて、その番組の中（特に、番組の中における出演者の会話の中）において紹介された（登場した）出演者、お店（飲食店や洋品店）、食事、又は商品に興味を持った場合、より詳細にそのお店、出演者、食事、又は商品に関する情報を取得したいと考えた場合には、インターネットを利用してネット検索することが考えられる。
【００８２】
ステップＳ１において、ユーザ端末３０は、ネットワークを介してサーバ１０に対してユーザが入力した検索キーワードを送信する（クエリの入力及び送信）。ここで、検索キーワードをサーバ１０に送信する際において、検索対象となる番組の名前等の重要となるキーワードをユーザが覚えていない場合には、適当な検索キーワード（例えば、視聴していた番組名に類似した文字列や、出演者の名称や、「お店」なる文言を付加してなる文字列）を入力して送信することが想定される。
【００８３】
ステップＳ２において、サーバ１０の特定部１１は、ユーザ端末３０から送信されてきた検索キーワード（特定の番組名又は番組名に類似した文字列に、出演者の名称や「お店」なる文言が付加された検索キーワード）に基づいて、番組名を特定する。番組名は一つであっても複数であってもよい。
【００８４】
ステップＳ３において、サーバ１０の抽出部１２は、特定部１１により特定された番組名に関連する情報要素を、ユーザがユーザ端末３０に入力したクエリの入力時刻情報に基づいて抽出する。クエリの入力時刻情報はクエリの属性情報としてクエリに関連付けられてサーバ１０に入力される。
【００８５】
関連情報はＥＰＧに時刻情報と共に記録されているので、抽出部１２は同じカテゴリに属するＥＰＧに記録されている関連情報から入力されたクエリ時刻に対して直近の関連情報をカテゴリ別に抽出する。
【００８６】
ステップＳ４において、サーバ１０の関連付け部１３は、ステップＳ３において抽出された情報要素を、ステップＳ２において特定された番組名と所定の順番で関連付けをする。
【００８７】
関連情報に、番組に出演した出演者情報、番組で紹介されたグルメ・飲食店情報、番組で紹介されたグルメ・飲食店情報及び番組で紹介されたお店・施設・スポット情報がある場合に、番組で放送された時間が長い方から、出演者情報、グルメ・飲食店情報及びお店・施設・スポット情報の順になっている場合（お店・施設・スポット情報に関する放送時間が一番短い）には、この放送時間の長い順番に番組名と関連付けをし、記憶部１６に記憶する。
【００８８】
また、他の例としてそれぞれの情報の番組中での視聴率が高い方から、出演者情報、グルメ・飲食店情報及びお店・施設・スポット情報の順になっている場合（お店・施設・スポット情報に関する視聴率が一番低い）には、この視聴率の高い順番に番組名と関連付けし、記憶部１６に記憶する。
【００８９】
ステップＳ５において、情報要素表示部１４は、表示装置の番組全体ページに関連付け部１３において関連付けられた順番で、情報要素（番組名も含む場合がある）を表示する。
【００９０】
関連付け部１３において関連付けられた順番が放送時間の長い順又は視聴率の高い順である場合には、番組全体ページの上段から放送時間の長い順又は視聴率の高い順に情報要素を表示する。また、番組全体ページの任意の一辺から放送時間の長い順又は視聴率の高い順に情報要素を表示してもよい。
【００９１】
さらに、放送時間の長い順又は視聴率の高い順に表示される情報要素の輝度又は文字の太さ等の情報を変化させてもよい。
【００９２】
なお、例えば、特定部１１によって特定された番組名が複数ある場合には、番組名毎に情報要素を表示してもよく、この場合には番組名毎に同一カテゴリの情報要素（情報要素の名称が同じ場合もある）が表示装置に表示される。
【００９３】
また、特定部１１によって特定された番組名が複数ある場合には、全ての番組の情報要素を関連付け部１３において関連付けられた順番で表示装置に表示してもよい。この場合に複数の番組名を、情報要素とは別に同一画面にまとめて表示してもよい。
【００９４】
ステップＳ６において、サーバ１０は、番組全体ページの何れかの情報要素がユーザによって選択されたか否かを判断する。番組全体ページの何れかの情報要素がユーザによって選択された場合（ステップＳ６：ＹＥＳ）にはステップＳ７に進み、番組全体ページの何れの情報要素もユーザによって選択されていない場合（ステップＳ６：ＮＯ）にはステップＳ６を繰り返す。
【００９５】
ステップＳ７において、詳細ページ表示部１５は表示装置に番組詳細ページを表示する。番組詳細ページに表示される情報には情報要素（番組名も含む場合がある）又は／及び詳細情報要素（番組名も含む場合がある）と番組全体ページに遷移するためのリンクがある。番組全体ページに遷移するためのリンクは番組詳細ページに必ず含まれる。
【００９６】
リンクが表示される場合のリンクは文字列、図形、記号又はこれらの結合等の情報から構成されており、ユーザがこれらの情報を選択すると表示装置が番組全体ページを表示するようにリンクが張られている。
【００９７】
詳細情報要素は情報要素に関連した詳細な情報であって、番組全体ページに表示されなかった情報である。
【００９８】
詳細ページ表示部１５は、クエリの属性情報としてクエリに関連付けられているクエリの入力時刻情報に近い時刻に記録又は更新された詳細情報要素（最新の詳細情報要素）から優先的に番組詳細ページに表示する。
【００９９】
例えば、番組詳細ページに表示されるべき詳細情報要素の個数が番組詳細ページに表示しきれない場合には優先順位が高い（最新の詳細情報要素から順番に番組詳細ページに表示できる個数の）詳細情報要素が表示される。
【０１００】
また、番組詳細ページに情報要素が表示される場合には優先順位が高い詳細情報要素が番組詳細ページに表示される情報要素に近い場所から遠い場所へ優先順位が高い順に表示される場合もある。
【０１０１】
ステップＳ８において、サーバ１０は、番組全体ページに遷移するためのリンクがユーザによって選択されたか否かを判断する。番組全体ページに遷移するためのリンクがユーザによって選択された場合（ステップＳ８：ＹＥＳ）にはステップＳ５に戻り、再び番組全体ページを表示する。番組全体ページに遷移するためのリンクがユーザによって選択されていない場合（ステップＳ８：ＮＯ）にはステップＳ９に進む。
【０１０２】
ステップＳ９において、ユーザが表示装置の表示を終了しようとしているかが判断される。ユーザが表示装置の表示を終了しようとしている場合（ステップＳ９：ＹＥＳ）には処理を終了し、ユーザが表示装置の表示を終了しようとしていない場合（ステップＳ９：ＮＯ）にはステップＳ７に戻り、番組詳細ページの表示を続ける。
【０１０３】
［画面の遷移に関する概念］
次に、図５を用いて画面の遷移に関する概念の一例を説明する。最初にユーザが入力したクエリに基づいて図５の番組全体ページが表示される。番組全体ページには情報要素が表示されているので、ユーザが所望の情報要素を選択すると、情報要素のカテゴリに応じてその詳細を示す番組詳細ページが表示される。図５では、番組全体ページからあるカテゴリに対応した番組詳細ページＡと他のカテゴリに対応した番組詳細ページＢが表示される場合があることが示されている。しかし、番組全体ページの次に表示される番組詳細ページの数は番組全体ページに表示される情報要素のカテゴリー数又は情報要素の数等の任意の数に設定されることが可能である。
【０１０４】
番組詳細ページＡ及び番組詳細ページＢの何れにも、番組全体ページへのリンクが表示（貼り付け）られているので、ユーザが番組詳細ページＡ又は番組詳細ページＢの番組全体ページへのリンクを選択すると、番組全体ページが表示されるのでユーザは特定された番組内の別の情報を迅速かつ容易に検索することができる。
【０１０５】
また、番組詳細ページＡに表示されている情報要素又は詳細情報要素を選択すると、選択された情報要素又は詳細情報要素に関連する情報が番組詳細ページＣ又は番組詳細ページＤに表示される。
【０１０６】
番組詳細ページＡの次に表示される番組詳細ページＣ又は番組詳細ページＤには番組全体ページへのリンクが表示（貼り付け）られているので、ユーザが番組詳細ページＣ又は番組詳細ページＤの番組全体ページへのリンクを選択すると番組全体ページが表示され、ユーザは特定された番組内の別の情報を迅速かつ容易に検索することができる。
【０１０７】
また、番組詳細ページＡの次に表示される番組詳細ページは番組詳細ページＣ又は番組詳細ページＤの二つに限られるわけではなく、番組詳細ページＡに表示されている情報要素又は詳細情報要素のカテゴリ数又は情報要素及び詳細情報要素の数等の任意の数の番組詳細ページを表示することができる。また、番組詳細ページＡの次に表示される番組詳細ページの全てに番組全体ページへのリンクが表示（貼り付け）られているので、ユーザがそれらの番組詳細ページの番組全体ページへのリンクを選択すると番組全体ページが表示され、ユーザは特定された番組内の別の情報を迅速かつ容易に検索することができる。
【０１０８】
さらに、番組詳細ページＢに表示されている情報要素又は詳細情報要素を選択すると、選択された情報要素又は詳細情報要素に関連する情報が番組詳細ページＥ又は番組詳細ページＦに表示される。
【０１０９】
番組詳細ページＢの次に表示される番組詳細ページＥ又は番組詳細ページＦには番組全体ページへのリンクが表示（貼り付け）られているので、ユーザが番組詳細ページＥ又は番組詳細ページＦの番組全体ページへのリンクを選択すると番組全体ページが表示され、ユーザは特定された番組内の別の情報を迅速かつ容易に検索することができる。
【０１１０】
また、番組詳細ページＢの次に表示される番組詳細ページは、番組詳細ページＥ又は番組詳細ページＦの二つに限られるわけではなく、番組詳細ページＢに表示されている情報要素又は詳細情報要素のカテゴリ数又は情報要素及び詳細情報要素の数等の任意の数の番組詳細ページを表示することができる。また、番組詳細ページＢの次に表示される番組詳細ページの全てに番組全体ページへのリンクが表示（貼り付け）られているので、ユーザがそれらの番組詳細ページの番組全体ページへのリンクを選択すると番組全体ページが表示され、ユーザは特定された番組内の別の情報を迅速かつ容易に検索することができる。
【０１１１】
また、上述では、ユーザが最初に閲覧するページは、番組全体ページであると説明したが、これに限られず、ユーザが入力するクエリによっては、各番組詳細ページＡ乃至Ｆを最初に閲覧することもあり得る。このような場合であっても、各番組詳細ページＡ乃至Ｆには番組全体ページへのリンクが張ってあるので、ユーザは、簡易な操作によって番組全体ページへ遷移することができ、当初予定していなかった番組に関する情報を広範に取得することが可能となる。
【０１１２】
［画面表示例（番組全体ページ）］
次に、図６に基づいて、番組全体ページの表示例を説明する。図６では、番組名「ＡＡＡ」が表示装置の最上段に表示されている（“テレビ番組「ＡＡＡ」に関する情報”との文字で表示されている）。なお、サーバ１０は、送信されたクエリに基づいて、一般的な検索も実行してもよい。この場合には、一般的な検索による結果は、ページの最上段以降に表示される（図６及び図７を参照。）。
【０１１３】
次の段に番組名の属性である番組を提供した放送局情報（“Ａ局”）及び番組が放送された日付け情報（“５月５日放送”）が表示される。日付け情報はユーザ端末３０に入力されたクエリの入力時刻情報に基づいて抽出される（クエリの入力時刻情報に最も近い日時に放送された番組が抽出される）。また、番組名とその属性情報はＥＰＧ等から抽出される。図６においてはサブタイトルである「春の新生活特集」を含めて、“「ＡＡＡ」「春の新生活特集」（Ａ局：５月５日放送）”との文字で表示さる。
【０１１４】
さらに、次の段に情報要素の一つであって一つのカテゴリを示す出演者情報として“出演”（又は“出演者”等）の文字が表示される。図６の場合には出演者情報は放送時間が長い又は視聴率が高い情報要素であるために、情報要素の中で一番上に表示される。
【０１１５】
また、出演者情報の中には、番組に出演した出演者の名前も情報要素として含まれる。図６の場合では、出演者“ＢＢＢ”、“ＣＣＣ”等の名前が情報要素として“出演”に続いて表示される。出演者の名前は図６において左から順番に（一つのカテゴリを示す情報要素の“出演”に近い順に）、放送時間が長い又は視聴率が高い順番に表示される。つまり、出演者“ＢＢＢ”の放送時間又は視聴率が、出演者“ＣＣＣ”より放送時間が長い又は視聴率が高い。以下の出演者も同様の順番で表示される。
【０１１６】
さらに、次の段に情報要素の一つであって一つのカテゴリを示すグルメ・飲食店情報として“グルメ・飲食店”の文字が表示される。図６の場合にはグルメ・飲食店情報は出演者情報の次に放送時間が長い又は視聴率が高い情報要素であるために、情報要素の中で二番目に表示される。
【０１１７】
また、グルメ・飲食店情報の中には、番組で紹介されたグルメ・飲食店情報のカテゴリに属するお店の名称も情報要素として含まれる。図６の場合では、お店の名称“ＤＤＤ店”、“ＥＥＥ屋”等のお店の名称が情報要素として“グルメ・飲食店”に続いて表示される。お店の名称は図６において左から順番に（一つのカテゴリを示す情報要素の“グルメ・飲食店情報”に近い順に）、放送時間が長い又は視聴率が高い順番に表示される。つまり、お店の名称“ＤＤＤ店”の放送時間又は視聴率が、お店の名称“ＥＥＥ屋”より放送時間が長い又は視聴率が高い。以下のグルメ・飲食店情報のカテゴリに属するお店の名称又は食事の情報等の情報も同様の順番で表示される。
【０１１８】
さらに、次の段に情報要素の一つであって一つのカテゴリを示すお店・施設・スポット情報として“お店・施設・スポット”の文字が表示される。図６の場合にはお店・施設・スポット情報はグルメ・飲食店情報の次に放送時間が長い又は視聴率が高い情報要素であるために、情報要素の中で三番目に表示される。
【０１１９】
さらに、次の段に情報要素の一つであって一つのカテゴリを示すアイテム・商品情報として“アイテム・商品”の文字が表示される。図６の場合にはアイテム・商品情報はお店・施設・スポット情報の次に放送時間が長い又は視聴率が高い情報要素であるために、情報要素の中で四番目に表示される。また、その他の情報要素も同様に表示される。
【０１２０】
［画面表示例（番組詳細ページ）］
次に、図７（ａ）及び（ｂ）に基づいて、番組詳細ページの表示例を説明する。図７（ａ）は、図６に表示された番組全体ページにおいて、情報要素の一つである出演者情報が選択された場合の番組詳細ページを示し、最上段には出演者情報が選択されたことを示す“テレビ番組「ＡＡＡ」の出演者情報”との文字が表示される。なお、このときの検索窓は、「ＡＡＡ  出演」等となる。すなわち、ユーザは、番組全体ページにおいて、情報要素の一つである出演者情報が選択することにより、「ＡＡＡ  出演」のクエリとして検索が実行される。
【０１２１】
また、出演者情報に関連した情報要素であって番組全体ページに表示された出演者情報（“ＢＢＢ”、“ＣＣＣ”等の名前）及び出演者情報に関連した詳細情報要素であって番組全体ページに表示されなかった出演者が表示される。
【０１２２】
また、番組全体ページに遷移（表示装置が表示する情報を番組全体ページに変更）するためのリンクとして、番組名である“ＡＡＡ”が番組詳細ページに表示される（リンクが張られる）。ユーザが“ＡＡＡ”を選択すると、サーバ１０は表示装置に図６で説明した番組全体ページを表示する。
【０１２３】
さらに、図７（ａ）で表示されるように、番組詳細ページでは出演者情報に関連した情報要素であって番組全体ページに表示された出演者をさらに詳細なカテゴリ（“ゲスト”及びレギュラー出演者を示す“出演”）に分けて表示するように構成することもできる。
【０１２４】
図７（ｂ）は、図６に表示された番組全体ページにおいて、情報要素の一つであるグルメ・飲食店情報が選択された場合の番組詳細ページを示し、最上段にはグルメ・飲食店情報が選択されたことを示す“テレビ番組「ＡＡＡ」で紹介されたグルメ・飲食店情報”との文字が表示される。なお、このときの検索窓は、「ＡＡＡ  グルメ」等となる。すなわち、ユーザは、番組全体ページにおいて、情報要素の一つであるグルメ・飲食店情報が選択することにより、「ＡＡＡ  グルメ」のクエリとして検索が実行される。
【０１２５】
また、グルメ・飲食店情報に関連した情報要素であって番組全体ページに表示されたグルメ・飲食店情報（“ＤＤＤ店”、“ＥＥＥ屋”等のお店の名称）及びグルメ・飲食店情報に関連した詳細情報要素であって番組全体ページに表示されなかったお店の名称又は食事の情報等の情報が表示される。
【０１２６】
また、番組全体ページに遷移（表示装置が表示する情報を番組全体ページに変更）するためのリンクとして、番組名である“ＡＡＡ”が番組詳細ページに表示される（リンクが張られる）。ユーザが“ＡＡＡ”を選択すると、サーバ１０は表示装置に図６で説明した番組全体ページを表示する。
【０１２７】
以上、図７（ａ）及び（ｂ）を用いて番組詳細ページに張られるリンクの表示について説明したが、詳細情報要素を含む番組全体ページよりも下位にある全てのページにおいて、図７（ａ）及び（ｂ）と同様に番組全体ページへ表示が遷移されるためのリンクが表示（リンクが張られ）され、ユーザが番組全体ページへ遷移されるためのリンクを選択すると、それらのページから番組全体ページが表示されるように構成されている。
【０１２８】
例えば、図７（ａ）において、出演者の名称である“ＢＢＢ”をユーザが選択すると出演者“ＢＢＢ”に関する情報が表示された画面が表示される。この出演者“ＢＢＢ”に関する情報が表示された画面にも図６の番組全体ページに遷移するためのリンクが表示される（張られる）のであり、このリンクの一例として番組詳細ページと同様に番組名である“ＡＡＡ”が表示される。
【０１２９】
したがって、本発明によれば、番組詳細ページにおいて関連情報を表示する番組全体ページとのリンクを常に表示（番組全体ページとのリンクを常に張る）ので、ユーザが関心を持ち特定した番組において、ユーザが所望する情報をその特定した番組内で探す場合には、番組詳細ページから番組全体ページに容易に（例えばワンクリックで）移動することができ、ユーザが所望する情報を迅速にかつ簡易に提供することが可能となる。
【０１３０】
また、ユーザが番組全体ページを見て、後に見たいと関心を持った情報が有った場合にも、現在見ている番組詳細ページから番組全体ページに容易に（例えばワンクリックで）移動することができるのでユーザが所望する情報を迅速かつ簡易に提供することが可能になる。
【０１３１】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【０１３２】
なお、本実施形態においては、サーバ１０は、ハードディスク３７０及び光ディスクドライブ３８０を有する構成として説明したが、これに限られず、これらの駆動系を有さない構成、いわゆるゼロスピンドルによる構成であってもよい。このような構成の場合には、ハードディスク３７０に記憶される内容は、大容量の半導体メモリ３９０に記憶される。
【図面の簡単な説明】
【０１３３】
【図１】本実施形態に係るサーバと、放送局と、ユーザ端末とから構成される情報処理システムを示す図である。
【図２】本発明に係るサーバの構成を示すブロック図である。
【図３】本実施形態に係るサーバの機能的な構成を示す機能ブロック図である。
【図４】本実施形態に係るサーバによる処理手順についての説明に供するフローチャートである。
【図５】本実施形態に係るページ間の関係を模式的に示す図である。
【図６】本実施形態に係る番組全体ページの模式的な構成を示す図である。
【図７】本実施形態に係る番組詳細ページの模式的な構成を示す図である。
【符号の説明】
【０１３４】
１  情報処理システム
１０  サーバ
１１  特定部
１２  抽出部
１３  関連付け部
１４  情報要素表示部
１５  詳細ページ表示部
１６  記憶部
２０  放送局
３０  ユーザ端末
【図１】
0005061040.tif 000002
【図２】
0005061040.tif 000003
【図３】
0005061040.tif 000004
【図４】
0005061040.tif 000005
【図５】
0005061040.tif 000006
【図６】
0005061040.tif 000007
【図７】
0005061040.tif 000008